【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
画像形成を行う画像形成装置と、前記画像形成装置に隣接して設けられ前記画像形成装置との間でネットワークバスを介して通信可能なアクセサリ装置とを備える画像形成システムであって、
前記アクセサリ装置は、
前記ネットワークバスを用いて前記画像形成装置と通信して、前記ネットワークバスの通信状態を検知する第１の通信手段と、
前記ネットワークバスとは異なる線により前記画像形成装置に接続される第１のポートと、
前記第１のポートの状態を制御するものであり、検出された前記ネットワークバスの通信状態が異常である場合に、隣接する前記画像形成装置または隣接する他のアクセサリ装置に異常を通知するために、前記第１のポートの状態をオフに制御する第１の制御手段と、を備え、
前記画像形成装置は、
前記ネットワークバスを用いて前記アクセサリ装置と通信する第２の通信手段と、
前記線が接続される第２のポートと、
前記アクセサリ装置を識別する識別情報を記憶する記憶手段と、
前記第２のポートの状態がオフである場合、前記アクセサリ装置の識別情報を消去する第２の制御手段と、を備えることを特徴とする、
画像形成システム。
【請求項２】
他の装置との間でネットワークバスを介した通信を行うとともに、前記ネットワークバスの通信異常を検知する通信インタフェースと、
隣接する装置に、前記ネットワークバスの通信状態を、前記ネットワークバスを介さずに通知する通知手段と、
前記ネットワークバスを介して通信可能な他の装置を識別する識別情報を記憶する記憶手段と、
前記通信インタフェースが前記ネットワークバスの通信異常を検知すると、前記記憶手段に記憶する前記識別情報を消去するとともに、前記通知手段により前記隣接する他の装置に、前記ネットワークバスに通信異常が発生したことを通知する制御手段と、を備えることを特徴とする、
ネットワーク管理装置。
【請求項３】
前記他の装置が直列に自分を挟んで設けられており、
前記記憶手段は、一方側に設けられる前記他の装置を識別する識別情報を並び順に第１のリストとして記憶するとともに、他方側に設けられる前記他の装置の前記識別情報を並び順に第２のリストとして記憶しており、
前記制御手段は、隣接する前記他の装置から前記ネットワークバスの通信異常が通知されると、当該他の装置の識別情報を含むリストを消去することを特徴とする、
請求項２記載のネットワーク管理装置。
【請求項４】
画像形成を行う画像形成装置と、前記画像形成装置との間でネットワークバスを介して通信可能なアクセサリ装置とを備え、前記画像形成装置が前記アクセサリ装置を識別する識別情報を記憶する画像形成システムにより実行される方法であって、
前記アクセサリ装置が、前記ネットワークバスの通信状態を検知して、隣接する前記画像形成装置または隣接する他のアクセサリ装置に、前記ネットワークバスに通信異常が発生したことを前記ネットワークバスを介さずに通知し、
前記画像形成装置が、隣接するアクセサリ装置から前記ネットワークバスの通信異常の発生が通知されると、記憶する前記識別情報を消去することを特徴とする、
ネットワーク管理方法。
【請求項５】
前記画像形成装置が、
前記ネットワークバスの通信異常を検知すると、記憶するすべての前記識別情報を消去するとともに、前記隣接するアクセサリ装置に、前記ネットワークバスに通信異常が発生したことを、前記ネットワークバスを介さずに通知することを特徴とする、
請求項４記載のネットワーク管理方法。
【請求項６】
前記画像形成装置が、
前記画像形成装置の一方側に直列に接続されるアクセサリ装置の前記識別情報を、並び順に第１のリストとして記憶するとともに、前記画像形成装置の他方側に直列に接続されるアクセサリ装置の前記識別情報を並び順に第２のリストとして記憶し、
隣接するアクセサリ装置が前記ネットワークバスに通信異常が発生したことを通知すると、当該隣接するアクセサリ装置の識別情報を含む第１のリスト又は第２のリストを消去することを特徴とする、
請求項５記載のネットワーク管理方法。
【請求項７】
前記画像形成装置が、前記リストの消去後に、前記隣接するアクセサリ装置の前記ネットワークバスの通信状態の検知結果を監視することを特徴とする、
請求項６記載のネットワーク管理方法。
【請求項８】
前記アクセサリ装置が、一方に隣接する他のアクセサリ装置から前記ネットワークバスに通信異常が発生したことの通知があると、
当該隣接する他のアクセサリ装置が自分よりも前記画像形成装置に近ければ、他方に隣接するアクセサリ装置に前記ネットワークバスに通信異常が発生したことを通知し、
自分が当該隣接する他のアクセサリ装置よりも前記画像形成装置に近ければ、前記ネットワークバスを介して、前記画像形成装置に、当該隣接する他のアクセサリ装置が画像形成システムのネットワークから離脱したことを通知することを特徴とする、
請求項６又は７記載のネットワーク管理方法。
【請求項９】
前記アクセサリ装置が、前記他方に隣接するアクセサリ装置に前記ネットワークバスに通信異常が発生したことを通知した後、或いは前記画像形成装置に前記隣接する他のアクセサリ装置が画像形成システムのネットワークから離脱したことを通知した後に、前記隣接する他のアクセサリ装置の前記ネットワークバスの通信状態の検知結果を監視することを特徴とする、
請求項８記載のネットワーク管理方法。
【請求項１０】
前記画像形成装置が、前記アクセサリ装置から前記隣接する他のアクセサリ装置が画像形成システムのネットワークから離脱したことが通知されると、前記第１のリストまたは第２のリストから、前記隣接する他のアクセサリ装置の識別情報より以降の識別情報を消去することを特徴とする、
請求項８又は９記載のネットワーク管理方法。
【請求項１１】
画像形成を行う画像形成装置と、
前記画像形成装置の下流に接続される第１アクセサリ装置と、
前記第１アクセサリ装置の下流に設けられる第２アクセサリ装置と、
前記画像形成装置、前記第１アクセサリ装置、及び前記第２アクセサリ装置を接続するネットワークバスと、
前記画像形成装置と前記第１アクセサリ装置とを接続する第１線と、
前記第１アクセサリ装置と前記第２アクセサリ装置とを接続する第２線と、を備える画像形成システムであって、
前記第１アクセサリ装置は、
前記ネットワークバスを用いて前記画像形成装置と通信して、前記ネットワークバスの異常を検知する第１の通信手段と、
前記第１線が接続される第１の出力ポートと、
前記第２線が接続される第１の入力ポートと、
前記第２線の状態に基づいて前記第２アクセサリ装置の異常を検知した場合に、前記第１の通信手段により前記ネットワークバスを介して前記画像形成装置に前記第２アクセサリ装置の異常を通知し、第１の通信手段が前記ネットワークバスの通信状態の異常を検知した場合に、前記第１の出力ポートの状態をオフにする第１の制御手段と、を備え、
前記第２アクセサリ装置は、
前記ネットワークバスを用いて前記画像形成装置と通信して、前記ネットワークバスの異常を検知する第２の通信手段と、
前記第２線が接続される第２の出力ポートと、
前記第２の通信手段が前記ネットワークバスの通信状態の異常を検知した場合に、前記第２の出力ポートの状態をオフにする第２の制御手段と、を備え、
前記画像形成装置は、
前記ネットワークバスを用いて前記第１アクセサリ装置及び前記第２アクセサリ装置と通信する第３の通信手段と、
前記第１線が接続される第３の入力ポートと、
前記第２の通信手段から前記ネットワークバスを介して前記第２アクセサリ装置の異常を受信すると、前記第２線の状態に基づいて前記第１アクセサリ装置の異常を検知する第３の制御手段と、を備えることを特徴とする、
画像形成システム。
【手続補正２】
【補正対象書類名】明細書
【補正対象項目名】０００９
【補正方法】変更
【補正の内容】
【０００９】
上記課題を解決する本発明の画像形成システムは、画像形成を行う画像形成装置と、前記画像形成装置に隣接して設けられ前記画像形成装置との間でネットワークバスを介して通信可能なアクセサリ装置とを備える画像形成システムであって、前記アクセサリ装置は、前記ネットワークバスを用いて前記画像形成装置と通信して、前記ネットワークバスの通信状態を検知する第１の通信手段と、前記ネットワークバスとは異なる線により前記画像形成装置に接続される第１のポートと、前記第１のポートの状態を制御するものであり、検出された前記ネットワークバスの通信状態が異常である場合に、隣接する前記画像形成装置または隣接する他のアクセサリ装置に異常を通知するために、前記第１のポートの状態をオフに制御する第１の制御手段と、を備え、前記画像形成装置は、前記ネットワークバスを用いて前記アクセサリ装置と通信する第２の通信手段と、前記線が接続される第２のポートと、前記アクセサリ装置を識別する識別情報を記憶する記憶手段と、前記第２のポートの状態がオフである場合、前記アクセサリ装置の識別情報を消去する第２の制御手段と、を備えることを特徴とする。
【手続補正３】
【補正対象書類名】明細書
【補正対象項目名】００２１
【補正方法】変更
【補正の内容】
【００２１】
ＣＰＵ１０１は、ＲＯＭ１０２に格納されるコンピュータプログラムを読み出し、ＲＡＭ１０３を作業領域として実行することで、画像形成装置１の動作を制御する。また、ＣＰＵ１０１は、通信Ｉ／Ｆ１０４を介してネットワークバス１０に接続されており、他のすべての制御部２００〜５００との間で制御データを送受信することで、デイジーチェーン接続等よりも高速に、アクセサリ装置の動作を制御する。